(57)【要約】    【課題】  通常の撮影使用時や衝撃等で大きな外力が働いても、カムフォロアの係合部につぶれが生じたり、変形するのを軽減し、良好な作動が得られるレンズ鏡筒を得ること。    【解決手段】  第１の溝が形成された第１の筒部材と、前記第１の筒部材と相対的に回動可能に径嵌合し、第２の溝が形成された第２の筒部材と、前記第１の溝に係合する第１の係合部と前記第２の溝に係合する第２の係合部を有するカムフォロアと、前記カムフォロアが固定され、レンズを保持する第３の筒部材と、を有し、前記第１の筒部材と前記第２の筒部材との相対的な回転により、前記カムフォロアを介して前記第３の筒部材が光軸方向に移動するレンズ鏡筒において、  前記カムフォロアは、その軸方向において前記第１の係合部と前記第２の係合部との間に中間部を備え、前記中間部の外径は、前記第１の係合部あるいは前記第２の係合部の外径よりも小さいこと。【選択図】    図２
2011232688.tif 000002
【特許請求の範囲】
【請求項１】
第１の溝が形成された第１の筒部材と、前記第１の筒部材と相対的に回動可能に径嵌合し、第２の溝が形成された第２の筒部材と、前記第１の溝に係合する第１の係合部と前記第２の溝に係合する第２の係合部を有するカムフォロアと、前記カムフォロアが固定され、レンズを保持する第３の筒部材と、を有し、前記第１の筒部材と前記第２の筒部材との相対的な回転により、前記カムフォロアを介して前記第３の筒部材が光軸方向に移動するレンズ鏡筒において、
前記カムフォロアは、その軸方向において前記第１の係合部と前記第２の係合部との間に中間部を備え、前記中間部の外径は、前記第１の係合部あるいは前記第２の係合部の外径よりも小さいことを特徴とするレンズ鏡筒。
【請求項２】
前記中間部の外径は、前記第１の係合部および前記第２の係合部の外径よりも小さいことを特徴とする請求項１に記載のレンズ鏡筒
【請求項３】
前記第１の係合部と前記第２の係合部は同一部材で一体的に形成されていることを特徴とする請求項１または２に記載のレンズ鏡筒。
【請求項４】
前記第１の係合部及び前記第２の係合部は合成樹脂から形成され、前記中間部は金属からなることを特徴とする請求項１乃至３のいずれか１項に記載のレンズ鏡筒。
【請求項５】
前記第１の溝はカム溝もしくは直進溝であり、前記第２の溝はカム溝であることを特徴とする請求項１乃至４のいずれか１項に記載のレンズ鏡筒。
【請求項６】
請求項１乃至５のいずれか１項に記載のレンズ鏡筒を有することを特徴とする光学機器。
【発明の詳細な説明】
【技術分野】
【０００１】
本発明はレンズ鏡筒及びそれを有する光学機器に関し、例えばカムフォロアを介してレンズを保持する筒部材を移動するようにしたデジタルカメラ、ビデオカメラ、ＴＶカメラ等に好適なものである。
【背景技術】
【０００２】
ビデオカメラ、デジタルカメラ等の光学機器において、フォーカスやズーミングのためにレンズ群を保持するレンズ保持枠を光軸方向に精度良く移動させるようにしたレンズ鏡筒が知られている（筒部材）。光軸方向にレンズ鏡筒の一部を構成する筒部材を移動させる移動機構の一つに、各々に溝の形成された２つの筒部材と各々の溝に係合するカムフォロアを用いる移動機構が知られている。即ち双方の筒部材の相対回転をカムフォロアを介することで光軸方向への運動に変換して移動している。
【０００３】
具体的には、第１の溝が形成された第１の筒部材と第２の溝が形成された第２の筒部材と、第１の溝と第２の溝に係合するカムフォロア、そしてカムフォロアが取り付けられ、レンズを保持する第３の筒部材から構成される。上記の構成において第２の筒部材を第１の筒部材に対して光軸周りに回転させると、第１の溝と第２の溝が交差する位置、すなわちカムフォロアの位置が移動する。カムフォロアは第３の筒部材に取り付けられているので、結果的には第２の筒部材の回転により第３の筒部材が光軸方向へ移動する。
【０００４】
このようなレンズ鏡筒において、小型化や剛性を高めることを目的として第１と第２の筒部材の材料には金属が用いられている。この場合、金属より成るカムフォロアを用いると、金属同士の摺動になるため作動性（操作性）が悪化する。また溝とカムフォロアの間に、僅かのガタを設定する必要があるため、そのガタ分で光学性能が変化してくる。
【０００５】
上記の対策として、合成樹脂で形成されたコロをカムフォロアの外側に被せるように構成した合焦レンズ移動装置が知られている（特許文献１）。この方法を用いると、金属と樹脂の摺動による良好な作動を得たり、溝とカムフォロアの間を圧入の設定にしてガタを少なくしたりすることができる。
【０００６】
しかしながら、合成樹脂のコロは金属と比較すると変形しやすい。このため、衝撃等でレンズ鏡筒に大きな外力が働いた場合には、溝との係合部がつぶれてしまい光学性能が劣化したり、作動性が悪化してくる。この対策として、樹脂の係合部よりも外径の小さい金属のローラ部を設け、衝撃が働いた場合には、このローラ部を突き当てることで樹脂部の変形を防ぐ構造のレンズ鏡筒が知られている（特許文献２）。
【先行技術文献】
【特許文献】
【０００７】
【特許文献１】特開平０７−１１０４２４号公報
【特許文献２】特開２００５−１１５１６９号公報
【発明の概要】
【発明が解決しようとする課題】
【０００８】
特許文献２で開示されているレンズ鏡筒は、衝撃等の大きな外力が働いた場合にカムフォロアがつぶれたり、変形するのを抑えることができる。しかしながら、カムフォロアが複数の溝、例えば直進溝とカム溝に係合している場合には、一方の溝との係合部に生じた変形によってもう一方の溝の係合部が変形することがある。
【０００９】
具体的には、
（１）衝撃時、金属のローラ部の突き当てにより樹脂部がつぶれたり、変形するのを抑えても、多少のつぶれ・変形が生じる。この場合、ローラ部を突き当てた溝でない側の溝との係合部に変形が生じると寸法関係が変化し、作動が悪化する。
【００１０】
（２）通常の撮影使用時、一方の溝とカムフォロアの係合部を圧入した設定にすると、他方の溝に係合する係合部に変形が生じ、溝方向の寸法が変化する。この場合には、寸法管理が難しく良好な作動を得ることが難しい。
【００１１】
（３）衝撃時、通常の撮影使用時に関わらず、ローラ部（突き当て部）が複数の溝の間に配置されておらず、端にあるため一方に生じた変形が他方の係合部の変形に影響する。
【００１２】
本発明は、通常の撮影使用時や衝撃等で大きな外力が働いても、カムフォロアの係合部につぶれが生じたり、変形するのを軽減し、良好な作動が得られるレンズ鏡筒の提供を目的とする。
【００１３】
ここで、つぶれが生じたり、変形するのを軽減するとは、外力によって直接生じるカムフォロアのつぶれや変形といった一次的なものだけでなく、一方の係合部で生じた変形によって他方の係合部が変形する二次的な変形の軽減をも含んでいる。
【課題を解決するための手段】
【００１４】
本発明のレンズ鏡筒は、第１の溝が形成された第１の筒部材と、前記第１の筒部材と相対的に回動可能に径嵌合し、第２の溝が形成された第２の筒部材と、前記第１の溝に係合する第１の係合部と前記第２の溝に係合する第２の係合部を有するカムフォロアと、前記カムフォロアが固定され、レンズを保持する第３の筒部材と、を有し、前記第１の筒部材と前記第２の筒部材との相対的な回転により、前記カムフォロアを介して前記第３の筒部材が光軸方向に移動するレンズ鏡筒において、
前記カムフォロアは、その軸方向において前記第１の係合部と前記第２の係合部との間に中間部を備え、前記中間部の外径は、前記第１の係合部あるいは前記第２の係合部の外径よりも小さいことを特徴としている。
【発明の効果】
【００１５】
本発明によれば、通常の撮影使用時や衝撃等で大きな外力が働いても、カムフォロアの係合部につぶれが生じたり、変形するのを軽減し、良好な作動が得られるレンズ鏡筒が得られる。
【図面の簡単な説明】
【００１６】
【図１】本発明のレンズ鏡筒をレンズ交換式デジタル一眼レフカメラに適用したときの実施例１の要部断面図
【図２】図１のカムフォロアとその周辺に関連する主要部品の拡大図
【図３】図１のカムフォロアの説明図
【図４】図１のカムフォロアと複数の溝との関係を示す説明図
【図５】本発明の実施例２のレンズ鏡筒におけるカムフォロアの説明図
【発明を実施するための形態】
【００１７】
以下に、本発明の好ましい実施の形態を、添付の図面に基づいて詳細に説明する。本発明のレンズ鏡筒は、第１直進溝（第１の溝）２２ａが形成され、固定筒２１に固定された案内筒（第１の筒部材）２２を有する。更に、案内筒２２と相対的に回動するように径嵌合し、第１カム溝（第２の溝）２３ａが形成され、ズーム操作環２９の操作により回動する第１カム筒（第２の筒部材）２３と、を有する。更に第１直進溝（第１の溝）２２ａに係合する第１の係合部４５ａと第１カム溝（第２の溝）２３ａに係合する第２の係合部４５ｂを有するカムフォロア４５と、カムフォロア４５が固定され、レンズを保持する第１直進筒（第３の筒部材）２４と、を有する。そしてズーム操作環２９の操作により回動する第１カム筒２３によってカムフォロア４５を介して第１直進筒２４が光軸方向に移動する。
【００１８】
カムフォロア４５は軸方向において第１の係合部４５ａと第２の係合部４５ｂの間に中間部４５ｃを備えている。中間部４５ｃの外径は第１の係合部４５ａあるいは第２の係合部４５ｂよりも外径が小さい。また中間部は金属等の剛性の高い材料より成っている。そして第１の係合部４５ａと第２の係合部４５ｂは同一部材で一体の合成樹脂より形成されている。
【００１９】
［実施例１］
図１は本発明のレンズ鏡筒をレンズ交換式デジタル一眼レフカメラ（光学機器）に適用したときの実施例１の要部断面図である。図１では、レンズ光軸（撮影光軸）ＡＸＬの方向をＺ方向とし、レンズ光軸ＡＸＬに対して直交する方向であって、撮像面に平行な２方向のうち横方向をＸ方向、縦方向をＹ方向としている。１はカメラボディ（以下、単にカメラという）、２はカメラ１に着脱可能に装着された交換レンズである。まず、カメラ１の構造について説明する。図１で示した状態において、メインミラー３は一部がハーフミラー面より成り、交換レンズ２からの光束の光路上に配置されている。そして交換レンズ２からの光束の一部を反射してペンタプリズム７と接眼レンズ８を有するファインダ光学系（７、８）に導き、かつ残りの光束を透過させる。
【００２０】
メインミラー３の背後（像側）にはサブミラー４が配置されており、メインミラー３を透過した光束を反射して自動焦点検出ユニット（ＡＦユニット）５に導く。なお、メインミラー３およびサブミラー４は不図示の駆動機構により上記光路から退避することができるようになっている。焦点検出ユニット５は、いわゆる位相差検出方式を利用して焦点検出（交換レンズ２を構成する撮像光学系の焦点状態の検出）を行う機能を持っている。焦点検出ユニット５は、例えば入射した光束を２つに分割するセパレータレンズと、分割した光束を再結像させる２つのコンデンサレンズと、結像した２つの被写体像をそれぞれ光電変換するＣＣＤセンサ等を有している。ラインセンサの受光部は、被写体の縦方向（Ｙ方向）と横方向（Ｘ方向）の像位置を検出するよう十字型に配置されている。
【００２１】
６はＣＣＤセンサ又はＣＭＯＳセンサにより構成される撮像素子であり、この撮像素子６の受光面（撮像面）上には交換レンズ２からの光束（像）が結像する。撮像素子６は、結像した被写体像を光電変換し、撮像信号を出力する。また、不図示の電子制御式フォーカルプレーンシャッタにより撮像素子６の露光量を制御する。９はディスプレイパネルであり、撮像素子６の信号を入力とした不図示の信号処理部から出力される画像やその他様々な撮影情報を表示する機能を持っている。
【００２２】
交換レンズ２は被写体側から順に、変倍レンズとしての第１レンズユニット１０１、フォーカス及び変倍レンズとしての第２レンズユニット１０２、変倍レンズとしての第３レンズユニット１０３から構成される。さらに、変倍レンズ及び防振レンズとしての第４レンズユニット１０４、変倍レンズとしての第５レンズユニット１０５を有している。第３レンズユニット１０３と第５レンズユニット１０５は不図示の部材により連結され一体的に移動している。また、絞りユニット１０６は第３レンズユニット１０３の前側（物体側）に配置されており、交換レンズ２内を通過してカメラ１側に至る光束の光量を調節する。第１〜第５レンズユニット１０１〜１０５および絞りユニット１０６は撮影光学系の一部分を構成している。
【００２３】
第２レンズユニット（フォーカスレンズ及び変倍レンズ）１０２は、ギアユニット（不図示）からの駆動力を受けて光軸ＡＸＬ上を移動し、焦点調節を行う。第１乃至第５レンズユニット（変倍レンズ）１０１〜１０５は、撮影者による操作力が不図示の伝達機構により伝達されることによってレンズ光軸ＡＸＬ上を移動し、変倍（ズーミング）を行う。
【００２４】
次に、交換レンズ２を構成するレンズ鏡筒の構造について説明する。２１は固定筒であり、案内筒２２を取り付ける取り付け部（不図示）とフォーカス環３０を回転可能に保持するための突起部２１ａ、マウント部材４３の取り付け部２１ｂを備える。また、不図示の回路基板を取り付けるための取り付け部（不図示）を有し、固定筒２１と案内筒２２は締結等の方法で固定される。なお、固定筒２１にはジャイロ等の角速度センサが実装された部材を取り付ける取り付け部（不図示）を備える。
【００２５】
２２は案内筒（第１の筒部材）であり、固定筒２１にビス締め等により固定される固定部を構成している。案内筒２２には、カム溝又は直進溝より成る第１直進溝２２ａ（第１の溝）及び第２、第３直進溝（不図示）が形成されており、それぞれカムフォロアを介して第１直進筒２４、第３レンズユニット１０３、第４レンズユニット１０４を直進案内する。また、案内筒２２には第１カム筒２３と係合するカムフォロア（不図示）の取り付け部を有する。
【００２６】
２３は第１カム筒（第２の筒部材）で案内筒２２の外周に回動可能に径嵌合しており、ズーム操作環２９の直進溝に係合するズームキー（不図示）を固定する取り付け部を備えている。ズーム操作環２９の操作により第１カム筒２３は回動移動する。また、第１カム筒２３には第１〜第４カム溝２３ａ、２３ｂ、２３ｃ、２３ｄが形成されている。第１直進筒２４に固定されたカムフォロア４５の係合部４５ｂが第１カム筒２３の第１カム溝２３ａ（第２の溝）とカムフォロア４５の係合部４５ａが案内筒２２の第１直進溝２２ａに係合している。また、第３レンズユニット１０３に固定された不図示のカムフォロアは第２カム溝２３ｂと案内筒２２の第２直進溝と係合する。
【００２７】
同様に、第４レンズユニット１０４に固定された不図示のカムフォロアは第３カム溝２３ｃと案内筒２２の第３直進溝と係合する。また、第４カム溝２３ｄは案内筒２２に固定された前記不図示のカムフォロワと係合し、ズーム操作環２９の回転に伴って第１カム筒２３を移動・回転させる。また、第１カム筒２３にはフォーカスカム筒２８に形成されたカム溝２８ａ、第２カム筒２５の直進溝と係合するカムフォロア（不図示）の取り付け部が備えられている。
【００２８】
２４は第２レンズユニット１０２を保持する第１直進筒（第３の筒部材）であり、第１カム筒２３の第１カム溝２３ａ、案内筒２２の第１直進溝２２ａと係合するカムフォロア４５の取り付け部２４ａと直進溝（不図示）、カム溝２４ｂを備える。カムフォロア４５は第１直進筒２４にネジ４６で固定されている。第１直進筒２４の直進溝は第２直進筒２６に固定された不図示のカムフォロアと係合し、第１レンズユニット１０１を保持する第２直進筒２６を直進案内する。また、第１直進筒２４のカム溝２４ｂは第１カム筒２３に取り付けられた前記カムフォロア（不図示）の軌跡から所定のクリアランスを持たせるよう形成されている。また、第１直進筒２４には中間筒２７を固定する取り付け部を有する。
【００２９】
２５は第２カム筒であり、直進溝とカム溝２５ａを備える。第２カム筒２５の直進溝には、第１カム筒２３に固定された前記カムフォロア（不図示）が係合するため、第１カム筒２３と第２カム筒２５は同じだけ回転する。さらに、第２直進筒２６に固定されたカムフォロア（不図示）が第２カム筒２５のカム溝２５ａ及び第１直進筒２４の直進溝と係合することにより、第２カム筒２５を移動・回転させる。
【００３０】
第２直進筒２６は、第２カム筒２５のカム溝２５ａ及び第１直進筒２４の直進溝と係合する前記カムフォロア（不図示）の取り付け部及び前枠３１の取り付け部を有する。さらに、第２直進筒２６は、第１群鏡筒３６に取り付けられたカムフォロア（不図示）と係合し、第１群鏡筒３６の取り付けの調整を行うためのカム溝部２６ａを備える。中間筒２７は、第１直進筒２４を固定する取り付け部を有する。さらに、中間筒２７の前側内径には環状薄板３４の取り付け部を有し、中間筒２７と第２直進筒２６の間からのゴミの侵入を抑えている。
【００３１】
２８はフォーカスカム筒であり、第１カム筒２３に固定された前記カムフォロア（不図示）と係合するカム溝２８ａを備える。さらに、フォーカス環３０の回転を伝達するフォーカスキー（不図示）と係合する直進溝を有する。従って、フォーカスカム筒２８は第１カム筒２３の移動・回転及びフォーカス環３０の回転に伴い、移動・回転する構造より成っている。また、フォーカスカム筒２８には、第２群鏡筒３７を固定する取り付け部を有する。ズーム操作環２９は、ズーム操作環２９の回転を第１カム筒２３に伝達するためのズームキーと係合する直進溝（不図示）を有する。
【００３２】
フォーカス環３０は、固定筒２１の突起部２１ａと係合することでフォーカス環３０の光軸方向の移動を規制している。そして回転可能に保持する案内溝部３０ａを有する。さらに、フォーカス環３０は、ギアユニット（不図示）の出力ギアと噛み合いフォーカス環３０を光軸周りに回転させるためのギア部（不図示）を有する。ギアユニットは不図示の駆動源と、複数のギア部（不図示）と、それらにより減速されて駆動される出力ギア（不図示）とからなる。駆動源と電気回路基板とは、フレキシブルプリント基板等で接続されていて、電気回路からの駆動信号により、駆動源を駆動させるようになっている。なお、ギアユニットには不図示の断続機構が設けられ、オートフォーカス、マニュアルフォーカスの切換えを前記機構にて行う。
【００３３】
また、フォーカス環３０には、フォーカス環３０の光軸に略垂直な方向の変形を抑える補強リング３２の取り付け部を備える。補強リング３２はフォーカス環３０とカバー部材３３のスナップフィット結合もしくは接着固定もしくは締結等の方法によりフォーカス環３０に一体的に保持される。なお、補強リング３２はフォーカス環３０よりも剛性の高い材質で形成されている。さらに、フォーカス環３０にはフォーカスカム筒２８の直進溝と係合し、フォーカス環３０の回転をフォーカスカム筒２８に伝達する前記フォーカスキー（不図示）の取り付け部を有する。
【００３４】
前枠３１は、第１群鏡筒３６を締結する取り付け部（不図示）及び、フィルタ等のアクセサリを装着するためのネジ部３１ａと、フード等のアクセサリを装着するためのツバ部３１ｂを有している。３５は外装環であり、装飾のために内部部品を覆うカバー部材である。第１群鏡筒３６は、第２直進筒２６のカム溝２６ａに係合するカムフォロアの取り付け部を備え、第１群鏡筒３６を第２直進筒２６へ取り付ける際が調整を行えるようにしている。第２群鏡筒３７は、フォーカスカム筒２８に固定するための取り付け部を備える。
【００３５】
３８は第３群鏡筒であり、第１カム筒２３の第２カム溝２３ｂと案内筒２２の第２直進溝と係合する前記カムフォロア（不図示）の取り付け部を有する。また、絞り装置４１の取り付け部（不図示）を有する。また、第３群鏡筒３８には第５群鏡筒４０と固定するための腕部（不図示）を備え、第３群鏡筒３８と第５群鏡筒４０は一体で移動する。３９は第４群鏡筒であり、第１カム筒２３の第３カム溝２３ｃと案内筒２２の第３直進溝と係合する前記カムフォロア（不図示）の取り付け部を有する。なお、第４群鏡筒３９は振れ補正用レンズ駆動装置４２を内部に有し、第４レンズユニット１０４を構成するレンズの一部を光軸に平行な平面内でシフトさせて手振れによる像ブレを補正する機構を備える。
【００３６】
第５群鏡筒４０は、第３群鏡筒３８の腕部を固定する取り付け部（不図示）を有する。絞り装置４１は第３群鏡筒３８の前側（物体側）に配置され、複数の絞り羽根４１ａ、駆動部材４１ｂ及びカバー部材４１ｃを有する。不図示のフレキシブルプリント基板は、その一端が絞り装置４１に接続され、他方が電気回路基板に接続されている。電気回路からの駆動信号により、絞り羽根４１ａは駆動される。
【００３７】
振れ補正用レンズ駆動装置４２は、第４レンズユニット１０４の一部のレンズを保持し、光軸に垂直な平面内でシフトすることで手振れの補正を行うシフト鏡筒４２ａ（可動部）と、シフト鏡筒４２ａを駆動させる駆動部材４２ｂを有する。さらに、不図示のフレキシブルプリント基板は、その一端が振れ補正用レンズ駆動装置４２の駆動部材４２ｂに接続され、他方が電気回路基板に接続されている。電気回路からの駆動信号により、シフト鏡筒４２ａは駆動される。マウント部材４３は、開口部４３ａと、カメラ本体への取りためのツバ部４３ｂと、固定筒２１との締結のための座部４３ｃを有する。
【００３８】
４４は接点部材で、その片端が電気回路基板に接続されている接点部４４ａを有し、カメラ本体に取り付けた時にカメラ本体の接点部と接触して、カメラ本体との情報伝達を行うようになっている。また、不図示ではあるが、レンズ内の種々の駆動のための演算およびカメラとの情報伝達の処理を行う電気回路基板を有する。このような構成のレンズ鏡筒において、不図示のレリーズボタンの操作がなされると、オートフォーカス、露出決定動作の後、撮像素子の露光及び取得された画像の記録動作がなされる。以上が個々の部材の説明である。
【００３９】
次に、本発明のレンズ鏡筒に関わる主な部品の相互関係について説明する。図２は、図１のレンズ鏡筒の一部分の拡大図であり、上述した複数あるカムフォロアのうち、例として１つのカムフォロア４５と、それに関連する主要部品の断面図を示している。他のカムフォロアについても同様の構成をとることができる。カムフォロア４５は、案内筒（第１の筒部材）２２に設けた第１直進溝（第１の溝）２２ａに係合する係合部（第１の係合部）４５ａと第１カム筒（第２の筒部材）２３の第１カム溝（第２の溝）２３ａに係合する係合部（第２の係合部）４５ｂを有している。また、カムフォロア４５は２つの係合部４５ａ、４５ｂの間にそれよりも外径の小さな突き当て部４５ｃ（中間部）を有する。尚、中間部４５ｃの外径は第１の係合部４５ａあるいは第２の係合部４５ｂより小さければ良い。
【００４０】
さらに、カムフォロア４５は第１直進筒２４に固定される締結部４５ｄを備え、第１直進筒２４のカムフォロア取り付け部２４ａとネジ４６による締結により固定される。
次に、カムフォロア４５の機能について説明する。ズーム操作環２９が操作されると、ズーム操作環２９に係合するズームキー（不図示）が第１カム筒２３に回転を伝達する。第１カム筒２３の回転により第１直進筒２４は、それに固定されたカムフォロア４５を介して案内筒２２の第１直進溝２２ａと第１のカム筒２３の第１カム溝２３ａの相対関係に従いながら、移動する。即ち第１直進筒２４と第１カム筒２３は相対移動する。この結果、第１直進筒２４は光軸方向へ繰り出す。これによりレンズ（第１、第２レンズユニット１０１、１０２）を保持する第１直進筒２４の光軸方向の駆動を行っている。
【００４１】
図３は本実施例に係るカムフォロア４５の形状を示した説明図である。また、図４は本実施例に係るカムフォロア４５と複数の溝（案内筒２２の第１直進溝２２ａと第１カム筒２３の第１カム溝２３ａ）との関係を示した説明図である。
【００４２】
本実施例においてカムフォロア４５は、係合部４５ａと係合部４５ｂの軸方向の間にそれらより外径の小さな突き当て部（中間部）４５ｃ−１、４５ｃ−２（以下では突き当て部４５ｃ−１、４５ｃ−２を総称して突き当て部４５ｃと記す）を設けている。これにより、係合部４５ａと係合部４５ｂを連結する形状の剛性を低くしている。そして、一方の溝（第１直進溝２２ａ又は第１カム溝２３ａ）と係合する係合部（係合部４５ａ又は係合部４５ｂ）に生じた変形によって他方の係合部が変形することを抑えている。
【００４３】
なお、突き当て部４５ｃとカムフォロア４５の締結部４５ｄは一体の部材であり、金属等の剛性が高い材質からなる。係合部４５ａ、４５ｂは合成樹脂等の摺動性が良い材質からなり、前記一体の部材に対してからインサート成形を行うことで形成される。４５ｅは成形時のゲートを配置するために設けられた形状である。
【００４４】
さらに、係合部４５ａと突き当て部４５ｃの形状は案内筒２２の第１直進溝２２ａと係合する範囲において僅かに段差を設け（係合部４５ａ側の外径が突き当て部４５ｃに比べて大きい）、耐衝撃性を得る構造としている。この構造は、衝撃や落下で係合部４５ａが変形した場合に第１直進溝２２ａと突き当て部４５ｃが突き当たるようにし、係合部４５ａの塑性変形や打痕等で摺動性、すなわち作動性が悪化することを軽減している。なお、通常の使用状態では第１直進溝２２ａと係合部４５ａが摺動するため良好な作動性が得られる。
【００４５】
なお、係合部４５ａと突き当て部４５ｃの形状に段差を設けることについて説明したが、係合部４５ｂと突き当て部４５ｃの形状に段差が設けられていても良い。なお、本実施例では係合部４５ａ、４５ｂが樹脂（合成樹脂）で突き当て部４５ｃが金属である場合について説明したが、突き当て部４５ｃは樹脂であっても良い。この場合、衝撃時の係合部４５ａ、４５ｂに塑性変形が生じやすくなるが、一方の係合部に生じた変形によって他方の係合部が変形することを抑えることができる。
【００４６】
以上のように本実施例によれば、複数の溝に係合するカムフォロアとして、カムフォロアの各係合部の間に中間部（突き当て部）を備える構造をとることにより、各係合部を連結する部分（形状）の剛性を低くしている。これにより通常の撮影使用時や衝撃時、一方の溝との係合部に生じた変形によって他方の係合部が変形することを抑える事ができるので良好な作動が得られる。また、中間部の外径を係合部の外径よりも小さくすることにより衝撃等の外力が作用した場合には溝と中間部が突き当てるようにして、カムフォロアのつぶれ・変形を抑えている。これらの効果は中間部４５ｃの外径が第１の係合部４５ａあるいは第２の係合部４５ｂより小さければ得られる。
【００４７】
［実施例２］
図５は本発明のレンズ鏡筒の実施例２に係る一部分の説明図である。本実施例では、実施例１に比べてレンズ鏡筒におけるカムフォロア４５の突き当て部４５ｃの形状を変更した点が異なっている。具体的な本実施例の特徴は、カムフォロア４５の突き当て部４５ｃの形状を４５ｃ−１、４５ｃ−２、４５ｃ−３、４５ｃ−４のようにカムフォロア４５のほぼ全周にわたって設けたことである。突き当て部４５ｃが露出する範囲を実施例１よりも増やすことで、係合部４５ａと係合部４５ｂを連結する形状の剛性をより低くしている。このような構成により、実施例１と同様にカムフォロア４５の係合部４５ａ、４５ｂの一方に生じた変形によって他方の係合部が変形することを効果的に抑えている。さらには、突き当て部４５ｃの外径を係合部４５ａ、４５ｂより僅かに小さな形状にすることで衝撃が働いた際の係合部４５ａ、４５ｂのつぶれ・変形を効果的に防ぐことができる。
【００４８】
以上説明したように、上記各実施例では、カムフォロア４５の係合部４５ａ（第１直進溝２２ａと係合）と係合部４５ｂ（第１カム溝２３ａと係合）の間に突き当て部（中間部）４５ｃを設ける構造とした。そして、係合部４５ａと係合部４５ｂ間を中継する形状の剛性を低くしている。これにより、２つの係合部４５ａ、４５ｂの一方に生じた変形によって他方の係合部が変形することを抑えている。さらには、突き当て部４５ｃの外径を係合部４５ａ、４５ｂより僅かに小さな形状にすることで衝撃が働いた際の係合部のつぶれ・変形を抑えている。これにより大きな外力が働いた場合でも良好な作動（操作性）を効果的に得ている。
【００４９】
なお、上記各実施例においてはカムフォロア４５をズーム機構の一部に用いたが、本発明のレンズ鏡筒はそれに限定されるものではない。例えば、フォーカス機構の一部にカムフォロア４５を用いても良い。さらに、本実施例は、レンズ交換式デジタル一眼レフカメラに用いられるレンズ鏡筒について説明したが、本発明は、レンズ一体側のデジタルカメラ、さらにはビデオカメラ等のレンズ鏡筒にも同様に適用することができる。
【符号の説明】
【００５０】
１：カメラ    ２：交換レンズ（レンズ鏡筒）    ２１：固定筒    ２２：案内筒（第１の筒部材）    ２３：第１カム筒（第２の筒部材）    ２４：第１直進筒（第３の筒部材）    ２９：ズーム操作環    ４５：カムフォロア    ４６：ネジ（第１直進筒２４とカムフォロア４５の締結用）    ２２ａ：第１直進溝（第１の溝）    ２３ａ：第１カム溝（第２の溝）    ４５ａ：第１係合部    ４５ｂ：第２係合部    ４５ｃ：突き当て部（中間部）
【図２】
2011232688.tif 000003
【図４】
2011232688.tif 000004
【図５】
2011232688.tif 000005
【図１】
2011232688.tif 000006
【図３】
2011232688.tif 000007